(57)【要約】  光を放射する活性領域が形成された基板の裏面に第１電極と第２電極を設け、該基板よりも脆性が小さい材料で形成された積層物を該第１電極と該第２電極の間の領域の一部に該活性領域の直下に位置するように設けることと、該活性領域の直上に該積層物を位置させた状態で、該積層物とともに該基板を劈開することで該活性領域が表れた平面を露出させることと、を備えたことを特徴とする。
2019186888.tif 000002
【特許請求の範囲】
【請求項１】
活性領域が形成された基板の裏面に第１電極と第２電極を設け、前記基板よりも脆性が小さい積層物を前記第１電極と前記第２電極の間の領域の一部に前記活性領域の直下に位置するように設けることと、
前記活性領域の直上に前記積層物を位置させた状態で、前記積層物とともに前記基板を劈開すること、を備えたことを特徴とする半導体装置の製造方法。
【請求項２】
前記積層物は、前記活性領域の直下全体に形成されることを特徴とする請求項１に記載の半導体装置の製造方法。
【請求項３】
前記積層物の材料は前記第１電極及び前記第２電極の材料と同じであることを特徴とする請求項１又は２に記載の半導体装置の製造方法。
【請求項４】
前記劈開が進む方向の前記積層物の長さは、前記劈開が進む方向の前記活性領域の長さより大きいことを特徴とする請求項１から３のいずれか１項に記載の半導体装置の製造方法。
【請求項５】
前記劈開が進む方向の前記積層物の長さは、前記劈開が進む方向の前記活性領域の長さの２倍以上であることを特徴とする請求項４に記載の半導体装置の製造方法。
【請求項６】
前記積層物は前記第１電極と前記第２電極から離れていることを特徴とする請求項１から５のいずれか１項に記載の半導体装置の製造方法。
【請求項７】
活性領域が形成された基板の裏面に第１電極と第２電極を設け、前記第１電極と前記第２電極の間の前記基板に前記活性領域の直下に位置する溝部を設け、前記溝部の中に前記基板よりも脆性が小さい積層物を形成することと、
前記活性領域の直上に前記溝部を位置させた状態で、前記溝部に沿って前記基板を劈開すること、を備えたことを特徴とする半導体装置の製造方法。
【請求項８】
前記溝部は、前記劈開によってあらわれた断面を横断していることを特徴とする請求項７に記載の半導体装置の製造方法。
【請求項９】
前記劈開が進む方向の前記溝部の長さは、前記劈開が進む方向の前記基板の長さより小さいことを特徴とする請求項７に記載の半導体装置の製造方法。
【請求項１０】
活性領域が複数形成された基板の裏面に第１電極と第２電極を設け、前記第１電極と前記第２電極の間の前記基板に前記活性領域の直下に位置する溝部を不連続に複数設けることと、
前記活性領域の直上に前記溝部を位置させた状態で、前記溝部に沿って前記基板を劈開すること、を備えたことを特徴とする半導体装置の製造方法。
【請求項１１】
前記溝部によって提供される溝の幅は、前記第１電極と前記第２電極の距離より小さいことを特徴とする請求項７から１０のいずれか１項に記載の半導体装置の製造方法。
【発明の詳細な説明】
【技術分野】
【０００１】
この発明は半導体装置の製造方法に関する。
【背景技術】
【０００２】
ウエハなどの基板には光が放射される半導体装置が複数形成される。その基板に対し、半導体装置の共振器長方向に沿って装置の間隔毎に分割する劈開という処理を施す。劈開は光が放射される面を作製する方法である。劈開によって光学的に平坦な面を実現することができる。劈開の難しさは基板の厚みに左右されやすい。厚い基板では劈開自体が困難になり、薄い基板では基板のハンドリングが困難になる。【０００３】
特許文献１には、複数の第１溝及び複数の第２溝を備える裏面を有しており、素子区画の各々に設けられた光導波路のための半導体構造体を含む基板生産物を準備して、基板生産物の裏面への押圧によって、別の基板生産物と半導体バーとを形成することが開示されている。
【先行技術文献】
【特許文献】
【０００４】
【特許文献１】日本特開２０１７−１７１９３号公報
【発明の概要】
【発明が解決しようとする課題】
【０００５】
ウエハなどの基板を劈開に用いる装置にセットする際、基板の表面側を下、裏面側を上にすることが多い。基板の裏面には電極を形成する。しかし、劈開の分離性を向上させるために、基板裏面側の劈開亀裂が入る領域には電極を形成しない場合がある。つまり、基板の裏面に基板が露出した部分を残す。この状態で劈開を行うと、電極の抵抗を受けずに劈開を進めることができるので良好な基板の分離性が得られる。しかし、基板裏面側の脆い基板部分から発生した基板屑が劈開を行った端面に落下して、光の放射される活性領域に付着してしまうことがあった。基板屑などの異物が活性領域に付着すると半導体装置の特性が劣化してしまう。【０００６】
本発明は上述の問題を解決するためになされたものであり、基板の分離性を確保しつつ異物付着を回避できる半導体装置の製造方法を提供することを目的とする。
【課題を解決するための手段】
【０００７】
本願の発明にかかる半導体装置の製造方法は、活性領域が形成された基板の裏面に第１電極と第２電極を設け、該基板よりも脆性が小さい積層物を該第１電極と該第２電極の間の領域の一部に該活性領域の直下に位置するように設けることと、該活性領域の直上に該積層物を位置させた状態で、該積層物とともに該基板を劈開すること、を備えたことを特徴とする。【０００８】
本発明のその他の特徴は以下に明らかにする。
【発明の効果】
【０００９】
この発明によれば、活性領域の直上に積層物を設けたり溝部を設けたりすることで、基板の分離性を確保しつつ異物付着を回避できる。
【図面の簡単な説明】
【００１０】
【図１】劈開前の半導体装置の斜視図である。
【図２】半導体装置の側面図である。
【図３】半導体装置の平面図である。
【図４】劈開前の半導体装置の斜視図である。
【図５】半導体装置の平面図である。
【図６】溝部がない基板の劈開を示す図である。
【図７】裏面に溝部を設けた基板の劈開を示す図である。
【図８】溝部に積層物を設けた基板の劈開を示す図である。
【図９】半導体装置の製造方法を示す図である。
【図１０】半導体装置の製造方法を示す図である。
【発明を実施するための形態】
【００１１】
実施の形態に係る半導体装置の製造方法について図面を参照して説明する。同じ又は対応する構成要素には同じ符号を付し、説明の繰り返しを省略する場合がある。
【００１２】
実施の形態１．
図１は、劈開前の半導体装置の斜視図である。劈開の対象となる半導体装置は基板１０を備えている。基板１０の形状と材料は特に限定されない。基板１０は、例えば、リン化インジウム又は砒化ガリウムを材料とするウエハである。基板１０は、表面１２と裏面１４と端面１６を備えている。図１には、裏面１４が上側にあり表面１２が下側にある状態で劈開装置にセットされた基板１０が示されている。
【００１３】
この基板１０には、例えば表面１２側からの処理により半導体層と絶縁体層等が作製されている。このような処理の結果、基板１０には光が放射される活性領域１８が形成されている。活性領域１８はＸ方向に沿って複数設けられている。基板１０には、例えば複数の半導体レーザ素子又は複数の発光ダイオードが未分離の状態で形成されている。Ｙ方向は共振器方向であり、Ｚ方向は基板１０の厚みを定義する方向となる。
【００１４】
基板１０の裏面１４には、例えば蒸着又はメッキ法などで第１電極２０ａと第２電極２０ｂが形成されている。第１電極２０ａと第２電極２０ｂの間には基板１０が露出した領域である劈開導入部３０がある。劈開導入部３０はＸ方向に細長く設けられている。基板１０の劈開の際には、この劈開導入部３０に沿って劈開を進める。
【００１５】
第１電極２０ａと第２電極２０ｂの間の領域である劈開導入部３０の一部に、積層物３１が設けられている。積層物３１は、基板１０のＸ方向に沿って島状に複数設けられている。積層物３１は基板１０よりも脆性が小さい材料で形成する。例えば、基板１０が半導体なので、積層物３１の材料は第１電極２０ａ及び第２電極２０ｂの材料と同じとすることで、積層物３１の脆性を基板１０の脆性より小さくできる。基板１０よりも脆性が小さいあらゆる材料によって積層物３１を形成することができる。したがって、積層物３１は金属に限定されない。また、積層物３１は単体の材料ではなく、複数の材料の積層でも良い。積層物３１の例としては、金化合物等が挙げられる。また、積層物３１の厚みは、第１電極２０ａと第２電極２０ｂの厚みと一致させても良いし相違させてもよい。
【００１６】
図２は、図１の半導体装置をＹ方向から見た側面図である。１つの活性領域１８と１つの積層物３１を備える構造が、分離後には１つのチップ４０となる。積層物３１は活性領域１８の直下に位置するように設けたので、裏面１４が上になり表面１２が下になった状態では、活性領域１８の直上に積層物３１がある。言いかえると、積層物３１と活性領域１８のＸ座標は一致している。積層物３１の少なくとも一部が活性領域１８の直上にある限り、積層物３１は活性領域１８に対して様々な位置をとることができる。例えば、活性領域１８の直下全体に積層物３１を形成しておくことができる。
【００１７】
図２において矢印３４は劈開の進行方向を示す。一例として、劈開が進む方向の積層物３１の長さＸ１は、劈開が進む方向の活性領域１８の長さＸ２より大きくすることができる。こうすると、活性領域１８の右側と左側の直上にも積層物３１を配置できる。長さＸ２は例えば１０μｍである。積層物３１の長さＸ１は、活性領域１８の長さＸ２の２倍以上とすることができる。
【００１８】
図１の説明に戻る。劈開を行う際には、基板１０の裏面１４を上にした状態で、基板１０を劈開装置にセットする。劈開方法としては、裏面１４の劈開導入部３０にブレード３２を押し当てて基板１０に荷重を加え、基板１０を分割する。このとき、基板１０の劈開は、表面１２に形成したスクライブ部分１２ａから進む。スクライブ部分１２ａは、例えばダイヤモンド等で作製したポイントで表面１２に形成された傷である。
【００１９】
スクライブ部分１２ａを起点とした劈開の進行方向は、矢印３４で示されている。劈開はＸ正方向に進行する。活性領域１８の直上に積層物３１を位置させた状態で、積層物３１とともに基板１０を劈開する。
【００２０】
図３は、図１の半導体装置の平面図である。積層物３１は第１電極２０ａと第２電極２０ｂから離れている。つまり、積層物３１の幅Ｙ１は劈開導入部３０の幅Ｙ２よりも小さい。劈開線４８は、劈開を予定している線又は劈開された軌跡を示す。劈開線４８は、劈開導入部３０及びそこに形成された積層物３１を通り、第１電極２０ａと第２電極２０ｂを通らない。
【００２１】
劈開の分離性を向上させるために、電極が形成されず裏面１４が露出した劈開導入部３０に沿って劈開する。そうすると、劈開亀裂が進行しやすくなり、未分離となる素子を減らすことができる。しかし、裏面１４の基板１０が露出している部分は脆いので、この部分の劈開に伴い基板屑が裏面１４側から下方へ落下してしまう。図２には基板屑４４の落下方向が矢印で示されている。この基板屑４４が活性領域１８に付着してしまうと、特性劣化又は外観歩留の低下を引き起こしてしまう。
【００２２】
そこで、実施の形態１では劈開導入部３０にのみ基板１０よりも脆性の小さい積層物３１を設けた。脆性が小さいということは基板屑４４が発生しにくいということである。裏面１４の基板１０が露出した露出部分は脆いのに対し、裏面１４の積層物３１が形成された部分は当該露出部分より脆さに対する抵抗が大きい。これにより、劈開時に活性領域１８の直上で基板屑４４が発生することを抑制できるので、活性領域１８に基板屑４４が付着しにくくなる。特に、活性領域１８の直上に積層物３１を設けることで、活性領域１８の直上で基板屑が生じにくい状態にすることができる。
【００２３】
積層物３１の設置は基板の分離性をやや低下させるものである。劈開導入部３０の全体に積層物を設けると、劈開導入部３０の全体に電極を設けた場合と同様に、基板の分離性を損ねることになる。そのため、積層物３１は劈開導入部３０の一部に形成し、劈開導入部３０にある程度裏面１４を露出させる。これにより、基板１０の分離性を確保しつつ活性領域１８への異物付着を回避できる。
【００２４】
実施の形態１に係る半導体装置の製造方法は、その特徴を失わない範囲で様々な変形が可能である。以下の実施の形態に係る半導体装置の製造方法は、実施の形態１との共通点が多いので実施の形態１との相違点を中心に説明する。
【００２５】
実施の形態２．
図４は、劈開前の半導体装置の斜視図である。劈開導入部３０に溝部５０が設けられている。溝部５０は劈開方向と平行に基板１０を横断するように設けられている。溝部５０の底には基板１０よりも脆性が小さい積層物５２を形成した。この積層物は、例えば実施の形態１の積層物３１と同じ材料とすることができる。溝部５０とその中の積層物５２は周知のウエハプロセス技術で作製することができる。溝部５０の中に積層物５２を設けると、溝部５０に基板１０が露出した場合と比べて、基板屑の発生量を減らすことができる。
【００２６】
実施の形態２では、この溝部５０に沿って劈開を進める。溝部５０は劈開進行方向に不連続に島状に設けてもよい。溝部５０は少なくとも活性領域１８の直下に設けることで、劈開時には活性領域１８の直上に溝部５０を位置させる。溝部５０の溝深さが深すぎると、分離性は向上するがハンドリング時に基板１０が割れてしまう懸念がある。この点を考慮して溝部５０の溝深さを決めることができる。例えば、溝部５０の溝深さは、基板１０の厚みの１／２以下とすることができる。
【００２７】
図５は、劈開前の半導体装置の平面図である。第１電極２０ａと第２電極２０ｂの間の基板１０に溝部５０が設けられている。溝部５０によって提供される溝の幅は、第１電極２０ａと第２電極２０ｂの距離より小さい。すなわち、溝部５０の幅は劈開導入部３０の幅よりも小さい。溝部５０の幅と劈開導入部３０の幅を一致させてもよい。
【００２８】
図４の説明に戻る。基板１０の溝部５０の底面にブレード３２を押し当てて荷重を加え、溝部５０に沿って基板１０を劈開する。活性領域１８の直上に溝部５０を位置させた状態で劈開する。溝部５０は、劈開によってあらわれた断面を横断することになる。溝部５０が形成された部分では基板１０が薄くなっているので、劈開亀裂が進行しやすくなり、劈開分離性を高めることができる。しかも、溝部５０に沿って劈開することで、劈開の際にブレード３２が基板１０をＺ負方向に押し込む量を、溝部５０がない場合より小さくできる。そのため、基板屑を発生しにくくすることができる。
【００２９】
図６、７、８を参照しつつ、基板１０に溝部５０及び積層物５２を設ける意義を説明する。図６−８は、図１でいえばＸ方向から基板１０を見た図に対応する。図６は、溝部がない基板１０の劈開を示す図である。劈開を行う際には基板１０が押し曲げられて、その衝撃で基板屑が発生する。特に、基板１０の裏面１４に電極がなく基板１０が露出した部分では、基板屑が発生しやすい。
【００３０】
図７は、裏面１４に溝部５０を設けた基板１０の劈開を示す図である。溝部５０に沿って劈開する場合、溝部５０がない部分を劈開する場合よりも薄い基板１０を劈開することになる。そのため、ブレード３２が基板１０をＺ負方向に押し込む量を小さくして、基板屑の発生を抑制できる。
【００３１】
図８は、溝部５０に積層物５２を設けた基板の劈開を示す図である。積層物５２は基板１０よりも脆性が小さい。この場合、溝部５０により基板１０を薄くすることと、積層物５２を設けたことの両方が基板屑の抑制に貢献する。
【００３２】
実施の形態２では、劈開進行方向に沿って基板２０を横断する細長い溝部５０を設けた。しかし、図４に示すスクライブ部分１２ａがあるチップに溝部５０を形成すると基板が薄くなり、割れてしまうおそれがある。そこで、スクライブ部分１２ａが形成されたチップには溝部５０を形成せずに、スクライブ部分１２ａが形成されていないチップに溝部５０を形成することとしてもよい。
【００３３】
実施の形態３．
図９は、実施の形態３に係る半導体装置の製造方法を示す図である。実施の形態２のように溝部５０が劈開導入部３０を横断している場合、基板１０のハンドリング時に基板１０が割れやすくなる懸念がある。そこで、実施の形態３の溝部５０は、活性領域１８のＸ座標に対応した箇所にのみに設けた。その結果、溝部５０は平面視でＸ軸に沿って不連続に複数設けられる。劈開が進む方向の溝部５０の長さＸ１は、劈開が進む方向の基板Ｘ２の長さより小さい。また、一例として、溝部５０の長さＸ１を、劈開が進む方向の活性領域１８の長さＸ３より大きくしてもよい。
【００３４】
劈開は、活性領域１８の直上に溝部５０が位置した状態で行う。溝部５０があるため、活性領域１８の直上で基板１０が大きく押し曲げられて基板屑が発生することを防止できる。溝部５０の長さＸ２は、活性領域１８の長さＸ３の２倍以上とすることで、この効果を高めることができる。また、基板１０のハンドリング時に基板が割れることを防止するために、例えば図７に示される溝部の溝深さＺ１は、非溝部における基板１０の厚さの１／２以下としておくことができる。
【００３５】
実施の形態４．
図１０は、実施の形態４に係る半導体装置の製造方法を示す図である。実施の形態４では、実施の形態３で説明したように溝部５０を不連続に複数設ける。各溝部５０は活性領域１８の直上に位置する。さらに、実施の形態４では、劈開の前に、溝部５０の中に基板１０よりも脆性が小さい積層物５２を形成する。劈開は、不連続に形成された複数の溝部５０を通過する劈開線に沿って行う。溝部５０により基板１０を薄くすることと、積層物５２を設けたことの両方が基板屑の抑制に貢献する。溝部５０の長さと溝深さについては実施の形態３の議論に基づき設定することができる。
【符号の説明】
【００３６】
１０  基板、  １２  表面、  １４  裏面、  １８  活性領域、  ２０ａ  第１電極、  ２０ｂ  第２電極、  ３０  劈開導入部、  ３１  積層物
【図１】
2019186888.tif 000003
【図２】
2019186888.tif 000004
【図３】
2019186888.tif 000005
【図４】
2019186888.tif 000006
【図５】
2019186888.tif 000007
【図６】
2019186888.tif 000008
【図７】
2019186888.tif 000009
【図８】
2019186888.tif 000010
【図９】
2019186888.tif 000011
【図１０】
2019186888.tif 000012
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
活性領域が形成された基板の裏面に第１電極と第２電極を設け、前記基板よりも脆性が小さい積層物を前記第１電極と前記第２電極の間の平坦な領域の一部に前記活性領域の直下に位置するように設けることと、
前記活性領域の直上に前記積層物を位置させた状態で、前記積層物とともに前記基板を劈開すること、を備えたことを特徴とする半導体装置の製造方法。
【請求項２】
前記積層物は、前記活性領域の直下全体に形成されることを特徴とする請求項１に記載の半導体装置の製造方法。
【請求項３】
前記積層物の材料は前記第１電極及び前記第２電極の材料と同じであることを特徴とする請求項１又は２に記載の半導体装置の製造方法。
【請求項４】
前記劈開が進む方向の前記積層物の長さは、前記劈開が進む方向の前記活性領域の長さより大きいことを特徴とする請求項１から３のいずれか１項に記載の半導体装置の製造方法。
【請求項５】
前記劈開が進む方向の前記積層物の長さは、前記劈開が進む方向の前記活性領域の長さの２倍以上であることを特徴とする請求項４に記載の半導体装置の製造方法。
【請求項６】
前記積層物は前記第１電極と前記第２電極から離れていることを特徴とする請求項１から５のいずれか１項に記載の半導体装置の製造方法。
【請求項７】
活性領域が形成された基板の裏面に第１電極と第２電極を設け、前記第１電極と前記第２電極の間の前記基板に前記活性領域の直下に位置する溝部を設け、前記溝部の中に前記基板よりも脆性が小さい積層物を形成することと、
前記活性領域の直上に前記溝部を位置させた状態で、ブレードを用いて前記溝部に沿って前記基板を劈開すること、を備え、
前記積層物の厚さは前記溝部の深さより小さいことを特徴とする半導体装置の製造方法。
【請求項８】
前記溝部は、前記劈開によってあらわれた断面を横断していることを特徴とする請求項７に記載の半導体装置の製造方法。
【請求項９】
前記劈開が進む方向の前記溝部の長さは、前記劈開が進む方向の前記基板の長さより小さいことを特徴とする請求項７に記載の半導体装置の製造方法。
【請求項１０】
前記溝部によって提供される溝の幅は、前記第１電極と前記第２電極の距離より小さいことを特徴とする請求項７から９のいずれか１項に記載の半導体装置の製造方法。
【手続補正２】
【補正対象書類名】明細書
【補正対象項目名】０００７
【補正方法】変更
【補正の内容】
【０００７】
本願の発明にかかる半導体装置の製造方法は、活性領域が形成された基板の裏面に第１電極と第２電極を設け、該基板よりも脆性が小さい積層物を該第１電極と該第２電極の間の平坦な領域の一部に該活性領域の直下に位置するように設けることと、該活性領域の直上に該積層物を位置させた状態で、該積層物とともに該基板を劈開すること、を備えたことを特徴とする。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
活性領域が形成された基板の平坦な形状を有する裏面に第１電極と第２電極を設け、前記基板よりも脆性が小さい積層物を前記第１電極と前記第２電極の間の平坦な領域の一部に前記活性領域の直下に位置するように設けることと、
前記活性領域の直上に前記積層物を位置させた状態で、前記積層物とともに前記基板を劈開すること、を備え、
前記積層物は前記第１電極と前記第２電極から離れていることを特徴とする半導体装置の製造方法。
【請求項２】
前記積層物は、前記活性領域の直下全体に形成されることを特徴とする請求項１に記載の半導体装置の製造方法。
【請求項３】
前記積層物の材料は前記第１電極及び前記第２電極の材料と同じであることを特徴とする請求項１又は２に記載の半導体装置の製造方法。
【請求項４】
前記劈開が進む方向の前記積層物の長さは、前記劈開が進む方向の前記活性領域の長さより大きいことを特徴とする請求項１から３のいずれか１項に記載の半導体装置の製造方法。
【請求項５】
前記劈開が進む方向の前記積層物の長さは、前記劈開が進む方向の前記活性領域の長さの２倍以上であることを特徴とする請求項４に記載の半導体装置の製造方法。
【手続補正２】
【補正対象書類名】明細書
【補正対象項目名】０００７
【補正方法】変更
【補正の内容】
【０００７】
本願の発明にかかる半導体装置の製造方法は、活性領域が形成された基板の平坦な形状を有する裏面に第１電極と第２電極を設け、該基板よりも脆性が小さい積層物を該第１電極と該第２電極の間の平坦な領域の一部に該活性領域の直下に位置するように設けることと、該活性領域の直上に該積層物を位置させた状態で、該積層物とともに該基板を劈開すること、を備え、該積層物は該第１電極と該第２電極から離れていることを特徴とする。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
活性領域が形成された基板の平坦な形状を有する裏面に第１電極と第２電極を設け、前記基板よりも脆性が小さい積層物を前記第１電極と前記第２電極の間の平坦な領域の一部に前記活性領域の直下に位置するように島状に設けることと、
前記活性領域の直上に前記積層物を位置させた状態で、前記積層物とともに前記基板を劈開すること、を備え、
前記積層物は前記第１電極と前記第２電極から離れ、前記劈開によって前記積層物が割れることを特徴とする半導体装置の製造方法。
【請求項２】
前記積層物は、前記活性領域の直下全体に形成されることを特徴とする請求項１に記載の半導体装置の製造方法。
【請求項３】
前記積層物の材料は前記第１電極及び前記第２電極の材料と同じであることを特徴とする請求項１又は２に記載の半導体装置の製造方法。
【請求項４】
前記劈開が進む方向の前記積層物の長さは、前記劈開が進む方向の前記活性領域の長さより大きいことを特徴とする請求項１から３のいずれか１項に記載の半導体装置の製造方法。
【請求項５】
前記劈開が進む方向の前記積層物の長さは、前記劈開が進む方向の前記活性領域の長さの２倍以上であることを特徴とする請求項４に記載の半導体装置の製造方法。
【手続補正２】
【補正対象書類名】明細書
【補正対象項目名】０００７
【補正方法】変更
【補正の内容】
【０００７】
本願の発明にかかる半導体装置の製造方法は、活性領域が形成された基板の平坦な形状を有する裏面に第１電極と第２電極を設け、該基板よりも脆性が小さい積層物を該第１電極と該第２電極の間の平坦な領域の一部に該活性領域の直下に位置するように島状に設けることと、該活性領域の直上に該積層物を位置させた状態で、該積層物とともに該基板を劈開すること、を備え、該積層物は該第１電極と該第２電極から離れ、該劈開によって該積層物が割れることを特徴とする。
【国際調査報告】
2019186888.tif 000013
2019186888.tif 000014
2019186888.tif 000015
2019186888.tif 000016